(57)【要約】      （修正有）【課題】手間がかからずまたネクタイを傷めることもなく、ネクタイがネクタイハンガーから容易に抜け落ちてしまうことを防止するネクタイハンガーを提供する。【解決手段】薄平板状のハンガー本体２と、ハンガー本体２と一体に形成され、ハンガー本体２を吊り下げる吊り下げ部３と、上側辺５ａ、下側辺５ｂ、および一端辺５ｃがハンガー本体２から切り抜かれるとともに、他端辺５ｄがハンガー本体２に連設されて、他端辺５ｄを軸としてハンガー本体２と面一となる位置に対して復元力をもって開閉可能とされた掛け部５と、ハンガー本体２を貫通して形成され、ネクタイＮを挿通可能な挿通部６とを有する。【選択図】図１
0003158020.tif 000002
【実用新案登録請求の範囲】
【請求項１】
薄平板状のハンガー本体と、
前記ハンガー本体の上側縁に、前記ハンガー本体と一体に形成され、前記ハンガー本体を吊り下げる吊り下げ部と、
前記ハンガー本体に形成されており、上側辺、下側辺、および一端辺が前記ハンガー本体から切り抜かれる掛け部と、
前記ハンガー本体における前記掛け部の下方に、前記ハンガー本体を貫通して形成され、ネクタイを挿通可能な挿通部と
を有することを特徴とするネクタイハンガー。
【請求項２】
前記掛け部の他端辺が前記ハンガー本体に連設されて、前記他端辺を軸として前記ハンガー本体と面一となる位置に対して復元力をもって開閉可能とされていることを特徴とする請求項１に記載のネクタイハンガー。
【請求項３】
前記掛け部における上側辺の一端辺側の部分に、前記掛け部に掛けられたネクタイが前記掛け部の一端辺側から滑り落ちることを防止する滑り落ち防止部を形成することを特徴とする請求項１または請求項２に記載のネクタイハンガー。
【請求項４】
前記掛け部の上側辺が水平に配置され、前記掛け部の他端辺が一端辺よりも長く形成され、前記掛け部の下側辺が上側辺に対して傾斜して形成されていることを特徴とする請求項１乃至請求項３のいずれか１項に記載のネクタイハンガー。
【請求項５】
前記挿通部が、前記ハンガー本体における前記掛け部の一端辺側の一側縁から切り欠き形成されていることを特徴とする請求項１乃至請求項４のいずれか１項に記載のネクタイハンガー。
【請求項６】
前記挿通部の底辺に、他のネクタイハンガーの吊り下げ部を係止可能な係止部が形成されていることを特徴とする請求項１乃至請求項５のいずれか１項に記載のネクタイハンガー。  
【考案の詳細な説明】
【技術分野】
【０００１】
本考案は、ネクタイを個別に掛けて吊すネクタイハンガーに関するものである。
【背景技術】
【０００２】
従来より、個々のネクタイを１本ずつ掛けて吊すことにより、ネクタイを整理・収納するネクタイハンガーが用いられている。
【０００３】
このような個々のネクタイを吊り下げるタイプのネクタイハンガーは、例えば、特許文献１に示すように、ネクタイを引っ掛けるための切り欠き形成された吊り下げ溝を有しており、ネクタイを吊り下げ溝に挿通して吊り下げるようになっている。また、このネクタイハンガー（特許文献１においてはネクタイ吊り下げ具）は、上部にフック状の係合部が形成されており、複数のネクタイハンガーの各係合部をポールやフックなどに掛けることにより、複数のネクタイを整理・収納することができるようになっている。
【先行技術文献】
【特許文献】
【０００４】
【特許文献１】登録実用新案第３０００１５０号公報
【考案の概要】
【考案が解決しようとする課題】
【０００５】
しかし、前述のような従来のネクタイハンガーによれば、ネクタイは吊り下げ溝に挿通して吊り下げられているのみであるので、ネクタイハンガーを動かしたり、ポールやフックに掛けられた他のネクタイハンガーとぶつかったりすると、吊り下げ溝に吊り下げられたネクタイが吊り下げ溝から抜け落ちてしまうことがあった。特に、なめらかな肌触りの生地で作られたネクタイは、吊り下げ溝から滑って抜け落ちやすいという問題を有していた。
【０００６】
また、ネクタイハンガーからネクタイが抜け落ちてしまうことを防止するためには、吊り下げられたネクタイをクリップ等で止める手段も考えられるが、この手段によれば、クリップを止めるための手間がかかり、さらには、ネクタイにおけるクリップで挟持した部分が傷んでしまうという問題もあった。
【０００７】
本考案はこれらの点に鑑みてなされたものであり、手間がかからずまたネクタイを傷めることもなく、ネクタイがネクタイハンガーから容易に抜け落ちてしまうことを防止することが可能なネクタイハンガーを提供することを目的とする。
【課題を解決するための手段】
【０００８】
前記目的を達成するため、本考案に係るネクタイハンガーの特徴は、薄平板状のハンガー本体と、前記ハンガー本体の上側縁に、前記ハンガー本体と一体に形成され、前記ハンガー本体を吊り下げる吊り下げ部と、前記ハンガー本体に形成されており、上側辺、下側辺、および一端辺が前記ハンガー本体から切り抜かれる掛け部と、前記ハンガー本体における前記掛け部の下方に、前記ハンガー本体を貫通して形成され、ネクタイを挿通可能な挿通部とを有する点にある。
【０００９】
このネクタイハンガーによれば、掛け部に掛けられたネクタイを挿通部に挿通させることにより、ネクタイが掛け部からまっすぐ下方へ抜け落ちてしまうことを防止することができる。
【００１０】
本考案に係るネクタイハンガーの他の特徴は、前記掛け部の他端辺が前記ハンガー本体に連設されて、前記他端辺を軸として前記ハンガー本体と面一となる位置に対して復元力をもって開閉可能とされている点にある。
【００１１】
このネクタイハンガーによれば、掛け部は、その復元力によってハンガー本体と面一となる方向に移動するので、掛け部に掛けられたネクタイを、掛け部とハンガー本体との間で挟持し、ネクタイが掛け部から抜け落ちてしまうことをより確実に防止することができる。
【００１２】
本考案に係るネクタイハンガーの他の特徴は、前記掛け部における上側辺の一端辺側の部分に、前記掛け部に掛けられたネクタイが前記掛け部の一端辺側から滑り落ちることを防止する滑り落ち防止部を形成する点にある。このような構成を採用することにより、掛け部に掛けられたネクタイが一端辺側に移動しても上方に突出形成された滑り落ち防止部によりその移動を阻まれるので、ネクタイが掛け部の一端辺側から滑り落ちることを防止することができ、より確実にネクタイがネクタイハンガーから抜け落ちてしまうことを防止することができる。
【００１３】
本考案に係るネクタイハンガーのさらに他の特徴は、前記掛け部の上側辺が水平に配置され、前記掛け部の他端辺が一端辺よりも長く形成され、前記掛け部の下側辺が上側辺に対して傾斜して形成されている点にある。このような構成を採用することにより、ネクタイを掛け部に掛けやすく、さらには、掛け部に掛けられたネクタイの滑り落ちをより防止することができるとともに、掛け部とハンガー本体との連接部分の寸法を長くすることができ、掛け部の強度の向上を図ることができる。
【００１４】
本考案に係るネクタイハンガーのさらに他の特徴は、前記挿通部が、前記ハンガー本体における前記掛け部の一端辺側の一側縁から切り欠き形成されている点にある。このような構成を採用することにより、挿通部におけるハンガー本体の一側縁側は開放端となるので、掛け部に掛けられたネクタイを挿通部の開放端から挿通しやすくすることができる。
【００１５】
本考案に係るネクタイハンガーのさらに他の特徴は、前記挿通部の底辺に、他のネクタイハンガーの吊り下げ部を係止可能な係止部が形成されている点にある。このような構成を採用することにより、縦方向に複数のネクタイハンガーを他のネクタイハンガーに吊して収納することも可能となる。
【考案の効果】
【００１６】
以上述べたように、本考案に係るネクタイハンガーによれば、ネクタイを掛け部に掛けるとともに、挿通部に挿通させるという動作のみによって、掛け部からまっすぐ下方に抜け落ちるのを防止することができる。これにより、手間を掛けることなく、またネクタイを傷めることなく、ネクタイがネクタイハンガーから容易に抜け落ちてしまうことを防止することができる。また、掛け部をハンガー本体から切り抜いて形成することにより、掛け部およびハンガー本体の強度を向上させることが可能となる。
【図面の簡単な説明】
【００１７】
【図１】本考案に係るネクタイハンガーの一実施形態を示す正面図
【図２】図１のネクタイハンガーにおける矢印Ａ方向からの側面図
【図３】図１のネクタイハンガーをポールに吊した場合を示す斜視図
【図４】図１のネクタイハンガーにおいて両掛け部にネクタイを掛けた使用状態を示す側面図
【図５】図１のネクタイハンガーに他のネクタイハンガーを吊した場合を示す概説図
【考案を実施するための形態】
【００１８】
以下、本考案に係るネクタイハンガーの実施形態について図１から図５を参照して説明する。
【００１９】
図１は、本実施形態に係るネクタイハンガーを示す正面図であり、図２は、図１のネクタイハンガーにおける矢印Ａ方向からの側面図である。図１においてネクタイは点線で示されている。
【００２０】
図１および図２に示すように、本実施形態に係るネクタイハンガー１は、略四角形状のハンガー本体２を有している。ハンガー本体２は、柔軟性を有しかつ元の形に戻る復元力を備えた薄平板状の材料により構成されており、本実施形態においては、ハンガー本体２は、約２．０ｍｍ程度の厚さで構成されている。ハンガー本体２を構成する材料としては、合成樹脂の他、ボール紙等の剛性を有する紙、薄金属板、さらには、コーティング材等のこれらの組み合わせを列挙することができる。
【００２１】
ハンガー本体２の上側縁には、ハンガー本体２を吊り下げるためのフック状の吊り下げ部３が、ハンガー本体２と一体に形成されており、吊り下げ部３は、一体形成されているハンガー本体２と同厚の薄平板状で構成されている。図４に示すように、この吊り下げ部３によってネクタイハンガー１をポールやフックに吊り下げることにより、本実施形態に係るネクタイハンガー１は、ネクタイＮを整理・収納することができるようになっている。
【００２２】
なお、本考案におけるネクタイハンガー１の吊り下げ部３は、本実施形態の形状に限定されず、ネクタイハンガー１をポールやフックに吊る下げることができ、ハンガー本体２と一体に形成される薄平板状であれば、種々の形状に形成することができる。
【００２３】
ハンガー本体２には、ネクタイＮを掛けることにより吊り下げる掛け部５が形成されている。この掛け部５は、その上側辺５ａ、下側辺５ｂ、および一端辺５ｃがハンガー本体２から切り抜かれるとともに、他端辺５ｄがハンガー本体２に連設されており、他端辺５ｄを軸として、元の形に戻る復元力、すなわちハンガー本体２と面一となる位置に対して復元力をもって開閉可能とされている。そして、ネクタイＮを掛け部５に掛けるときは、図４に示すように、掛け部５の他端辺５ｄを軸として掛け部５を開放し、掛け部５の上側辺５ａに二つ折りにしたネクタイＮを掛けることができるようになっている。
【００２４】
掛け部５の上側辺５ａにおける一端辺５ｃ側の部分には、掛け部５に掛けられたネクタイＮが掛け部５の一端辺５ｃ側から滑り落ちることを防止する滑り落ち防止部５ｅが形成されていることが好ましい。本実施形態においては、掛け部５の上側辺５ａにおける一端辺５ｃ側を上方に突出して形成することにより滑り落ち防止部５ｅが形成されている。これにより、掛け部５に掛けられたネクタイＮが一端辺５ｃ側に移動しても上方に突出形成された滑り落ち防止部５ｅに係止されるので、ネクタイＮが掛け部５の一端辺５ｃ側から滑り落ちることを防止することができる。
【００２５】
本考案における滑り落ち防止部５ｅは、本実施形態の形状に限定されるものではなく、例えば、掛け部５の上側辺５ａにおける一端辺５ｃ側の部分を細かいギザギザ形状に形成して滑り落ち防止部５ｅとすることもできる。これにより、細かいギザギザ形状に形成された滑り落ち防止部５ｅは摩擦係数が高くなるので、ネクタイＮと滑り落ち防止部５ｅとの摩擦により、掛け部５に掛けられたネクタイＮが一端辺５ｃ側から滑り落ちることを低減・防止することができる。
【００２６】
また、掛け部５における他端辺５ｄには、溝５ｆが形成されることが好ましい。これにより、掛け部５を容易に開放することができる。ただし、溝５ｆを過度に深く形成してしまうと、掛け部５の復元力が低下し、ひいては復元力がなくなってしまい、さらに、掛け部５の強度も低下してしまうので、溝５ｆの深さは、掛け部５の復元力や強度の観点と、掛け部５の開放の容易性の観点とのバランスを考慮して決定することが必要となる。
【００２７】
ハンガー本体２における掛け部５の下方には、ハンガー本体２を貫通して形成され、ネクタイＮを挿通可能な挿通部６が形成されている。この挿通部６は、図３および図４に示すように、ネクタイＮのうち掛け部５に掛けられている部分より下方の部分が挿通されることにより、ネクタイＮを支持するようになっている。
【００２８】
また、この挿通部６は、ハンガー本体２における掛け部５の一端辺５ｃ側の一側縁から切り欠き形成されていることが好ましい。これにより、挿通部６におけるハンガー本体２の一側縁側は開放端６ａとなり、掛け部５に掛けられたネクタイＮを挿通部６の開放端６ａから挿通しやすくすることができる。
【００２９】
さらに、挿通部６の底辺６ｂには、図５に示すように、他のネクタイハンガー１の吊り下げ部３を係止可能な係止部６ｃが形成されていることが好ましい。本実施形態においては、係止部６ｃは、他のネクタイハンガー１の吊り下げ部３が係止可能となるように、底辺６ｂにおけるハンガー本体２の横幅方向の中心部が切り欠き形成されている。これにより、本実施形態に係るネクタイハンガー１によれば、図３に示すように、横方向に複数のネクタイハンガー１をポール等に吊して収納することができるだけでなく、図５に示すように縦方向に複数のネクタイハンガー１を他のネクタイハンガー１に吊して収納することも可能となる。
【００３０】
さらにまた、掛け部５は、その上側辺５ａが水平に配置され、掛け部５の他端辺５ｄが一端辺５ｃよりも長く形成され、下側辺５ｂが上側辺５ａに対して傾斜して形成されていることが好ましい。掛け部５とハンガー本体２との連接部分の寸法を長くすることができ、掛け部５の強度の向上を図ることができるとともに、上側辺５ａが水平に配置されることにより、ネクタイＮを掛け部５に掛けやすく、さらには、掛け部５に掛けられたネクタイＮの滑り落ちをより防止することができる。
【００３１】
本実施形態に係るネクタイハンガー１は、例えば、大判の薄平板状材料から、型抜きすることによって、複数個のネクタイハンガー１を一度に製造することができる。
【００３２】
次に、本実施形態の作用について説明する。
【００３３】
まず、掛け部５を他端辺５ｄを軸として一端辺５ｃがハンガー本体２から離間するように開放する。このとき、ハンガー本体２の平面上におけるいずれの方向にも掛け部５を開放することは可能であるが、他端辺５ｄに溝５ｆが形成されている場合には、溝５ｆが形成されている側に開放することにより、掛け部５の強度の低下を低減することができる。
【００３４】
続いて、二つ折りにしたネクタイＮを掛け部５の上側辺５ａに掛けて吊るすとともに、ネクタイＮにおける掛け部５に掛けられた部分の下方を、挿通部６の開放端６ａから挿通部６に挿通する。
【００３５】
これにより、掛け部５に掛けられたネクタイＮが挿通部６に挿通されるので、掛け部５からネクタイＮがまっすぐ下方へ抜け落ちてしまうことを防止することができる。
【００３６】
したがって、本実施形態に係るネクタイハンガー１は、ネクタイＮを掛け部５に掛けるとともに、挿通部６に挿通させるという動作のみによって、掛け部５からまっすぐ下方に抜け落ちるのを防止することができるので、手間をかけることなく、またネクタイＮを傷めることなく、ネクタイＮがネクタイハンガー１から容易に抜け落ちてしまうことを防止することができる。また、掛け部５をハンガー本体２から切り抜かれて形成することにより、掛け部５およびハンガー本体２の強度を向上させることが可能となる。
【００３７】
さらに、掛け部５は、その復元力によってハンガー本体２と面一となる方向に移動するので、掛け部５に掛けられたネクタイＮが、掛け部５とハンガー本体２との間で挟持されることにより、掛け部５からネクタイＮが抜け落ちることをより確実に防止することができる。
【００３８】
また、ネクタイハンガー１を構成するハンガー本体２および吊り下げ部３は、薄平板状の材料によって形成されているので、１個でもまた複数個でも包装する際に厚さがかさばることを抑制してコンパクトにすることができ、容易に持ち運ぶこともできる。
【００３９】
また、掛け部５における上側編の一端辺５ｃ側に滑り落ち防止部５ｅを形成することにより、掛け部５に掛けられたネクタイＮが一端辺５ｃ側に移動しても上方に突出形成された滑り落ち防止部５ｅによりその移動を阻まれるので、ネクタイＮが掛け部５の一端辺５ｃ側から滑り落ちることを防止することにより、より確実にネクタイＮがネクタイハンガー１から抜け落ちてしまうことを防止することができる。
【００４０】
さらに、掛け部５の上側辺５ａを水平に配置することにより、ネクタイＮを掛け部５に掛けやすく、さらには、掛け部５に掛けられたネクタイＮの滑り落ちをより防止することができる。また、掛け部５の他端辺５ｄを一端辺５ｃよりも長くなるように形成し、掛け部５の下側辺５ｂを上側辺５ａに対して傾斜して形成することにより、掛け部５とハンガー本体２との連接部分の寸法を長くすることができ、掛け部５の強度の向上を図ることができる。
【００４１】
さらにまた、挿通部６を、ハンガー本体２における一側縁側から切り欠き形成することにより、挿通部６におけるハンガー本体２の一側縁側は開放端６ａとなるので、掛け部５に掛けられたネクタイＮを挿通部６の開放端６ａから挿通しやすくすることができる。
【００４２】
また、挿通部６の底辺６ｂに他のネクタイハンガー１の吊り下げ部３を係止可能な係止部６ｃを形成することにより、縦方向に複数のネクタイハンガー１を他のネクタイハンガー１に吊して収納することも可能となる。例えば、あるスーツに似合うと思われる複数のネクタイＮがそれぞれ吊された各ネクタイハンガー１を、縦方向に吊るし、最上部のネクタイハンガー１を、そのスーツが掛けられているハンガーの首部分や下辺部分のポールに吊すことにより、スーツ毎に似合うネクタイＮを整理・収納することができ、ネクタイＮの収納態様の幅を拡げることができる。
【００４３】
なお、本考案は前記実施形態に限定されるものではなく、必要に応じて種々変更することが可能である。
【符号の説明】
【００４４】
１  ネクタイハンガー
２  ハンガー本体
３  吊り下げ部
５  掛け部
５ａ  上側辺
５ｂ  下側辺
５ｃ  一端辺
５ｄ  他端辺
５ｅ  滑り落ち防止部
５ｆ  溝
６  挿通部
６ａ  開放端
６ｂ  底辺
６ｃ  係止部
Ｎ  ネクタイ
【図１】
0003158020.tif 000003
【図２】
0003158020.tif 000004
【図３】
0003158020.tif 000005
【図４】
0003158020.tif 000006
【図５】
0003158020.tif 000007